(57)【要約】【課題】Ｐ−ＯＮ信号がＬＯＷレベルにある待機時や電源−ＯＦＦ時に、光ディスク本体のトレイ内に光ディスクが残っているか否かを、電力を使用しないで簡易に検出し、筐体の表示用開口部に光ディスク本体の有無を表示することができる光ディスク装置を提供する。【解決手段】筐体１内に光ディスク装置本体２を内装すると共に、Ｐ−ＯＮ信号がＬＯＷレベルのとき光ディスクＤの有無を自重で回転して検出する検出レバー１１を光ディスク装置本体２に取付け、この検出レバー１１に光ディスクの有無を表示する表示体１２を設けると共に、この表示体１２を筐体１の前面に設けた表示用開口部１ｂに背後から臨ませた構成の光ディスク装置とする。Ｐ−ＯＮ信号がＬＯＷレベルのとき検出レバーが自重で回転して光ディスクの有無を検出できるので電力を消費することはない。【選択図】図３
2010152946.tif 000002
【特許請求の範囲】
【請求項１】
筐体内に光ディスク装置本体を内装すると共に、Ｐ−ＯＮ信号がＬＯＷレベルのとき光ディスクの有無を自重で回転して検出する検出レバーを光ディスク装置本体に取付け、この検出レバーに光ディスクの有無を表示する表示体を設けると共に、この表示体を筐体の前面に設けた表示用開口部に背後から臨ませたことを特徴とする光ディスク装置。
【請求項２】
上記検出レバーが、Ｐ−ＯＮ信号がＨＩレベルになると光ディスクに当たらない第一の角度位置まで上方に回動して停止し、Ｐ−ＯＮ信号がＬＯＷレベルになると、存在している光ディスクに当たる第二の角度位置、又は、光ディスクが存在しないときの第三の角度位置まで自重で下方に回動して、光ディスクの有無を検出するものであることを特徴とする請求項１に記載の光ディスク装置。
【請求項３】
上記表示体を検出レバーの先端に設け、検出レバーが第二の角度位置まで回動したときに、上記表示体の光ディスクが存在する旨の表示部分が筐体の表示用開口部に背後から臨み、検出レバーが第三の角度位置まで回動したときに、上記表示体の光ディスクが存在しない旨の表示部分が筐体の表示用開口部に背後から臨むようにしたことを特徴とする請求項２に記載の光ディスク装置。
【請求項４】
Ｐ−ＯＮ信号がＨＩレベルになって検出レバーが第一の角度位置まで上方に回動して停止したときに、上記表示体の無表示部分が筐体の表示用開口部に背後から臨むようにしたことを特徴とする請求項２又は請求項３に記載の光ディスク装置。
【発明の詳細な説明】
【技術分野】
【０００１】
本発明は光ディスク装置に関し、特に、Ｐ−ＯＮ信号がＬＯＷレベルのときに光ディスクが光ディスク本体のディスクトレイに残っているか否かを、電力を使わないで簡易に検出して表示できるように改良した光ディスク装置に関する。
【背景技術】
【０００２】
従来の光ディスク装置には、Ｐ−ＯＮ信号がＨＩレベルにある使用時に光ディスクの有無などを電機的に検知する検知手段が設けられている。けれども、Ｐ−ＯＮ信号がＬＯＷレベルにある待機時や電源−ＯＦＦ時に、光ディスクの有無を電力を使用しないで簡易に検出できる検出手段を設けたものは見出せない。
【０００３】
ところで、カートリッジの誤消去防止爪の有無を検出する略Ｕ字形の検出レバーをキャビネット内に設け、この検出レバーの一端でカートリッジの誤消去防止爪の有無を検出すると共に、他端で光ディスクに録音可能か否かを表示窓孔に色表示させるように構成した記録再生装置が知られている（特許文献１）。
【０００４】
しかしながら、この検出レバーの技術を利用して、Ｐ−ＯＮ信号がＬＯＷレベルにある時の光ディスクの有無を検出することは難しい。
【特許文献１】特開平８−３１０７８号公報
【発明の開示】
【発明が解決しようとする課題】
【０００５】
本発明は上記事情の下になされたもので、その解決しようとする課題は、Ｐ−ＯＮ信号がＬＯＷレベルにある待機時や電源−ＯＦＦ時に、光ディスク本体のトレイ内に光ディスクが残っているか否かを、電力を使用しないで簡易に検出し、筐体の表示用開口部に光ディスク本体の有無を表示することができる光ディスク装置を提供することにある。
【課題を解決するための手段】
【０００６】
上記課題を解決するため、本発明に係る光ディスク装置は、筐体内に光ディスク装置本体を内装すると共に、Ｐ−ＯＮ信号がＬＯＷレベルのとき光ディスクの有無を自重で回転して検出する検出レバーを光ディスク装置本体に取付け、この検出レバーに光ディスクの有無を表示する表示体を設けると共に、この表示体を筐体の前面に設けた表示用開口部に背後から臨ませたことを特徴とするものである。
【０００７】
本発明の光ディスク装置においては、上記検出レバーが、Ｐ−ＯＮ信号がＨＩレベルになると光ディスクに当たらない第一の角度位置まで上方に回動して停止し、Ｐ−ＯＮ信号がＬＯＷレベルになると、存在している光ディスクに当たる第二の角度位置、又は、光ディスクが存在しないときの第三の角度位置まで自重で下方に回動して、光ディスクの有無を検出するものであることが望ましい。
【０００８】
そして、上記表示体を検出レバーの先端に設け、検出レバーが第二の角度位置まで回動したときに、上記表示体の光ディスクが存在する旨の表示部分が筐体の表示用開口部に背後から臨み、検出レバーが第三の角度位置まで回動したときに、上記表示体の光ディスクが存在しない旨の表示部分が筐体の表示用開口部に背後から臨むようにすることが望ましい。
【０００９】
また、Ｐ−ＯＮ信号がＨＩレベルになって検出レバーが第一の角度位置まで上方に回動して停止したときに、上記表示体の無表示部分が筐体の表示用開口部に背後から臨むようにすることも望ましい。
【発明の効果】
【００１０】
本発明の光ディスク装置では、Ｐ−ＯＮ信号がＬＯＷレベルのとき検出レバーが自重で回転して光ディスクの有無を検出できる。そして、筐体の表示用開口部の背後に臨む表示体を、表示用開口部を通じて見ることにより、Ｐ−ＯＮ信号がＬＯＷレベルのときの光ディスクの有無を確認することができる。従って、従来の光ディスク装置のように、わざわざ電源スイッチを入れて光ディスクの有無を確認することが不要となり、しかも、待機電力を一切消費しないので経済的である。
【００１１】
また、上記検出レバーが、Ｐ−ＯＮ信号がＨＩレベルになると光ディスクに当たらない第一の角度位置まで上方に回動して停止し、Ｐ−ＯＮ信号がＬＯＷレベルになると、存在している光ディスクに当たる第二の角度位置、又は、光ディスクが存在しないときの第三の角度位置まで自重で下方に回動して、光ディスクの有無を検出するものであると、Ｐ−ＯＮ信号がＨＩレベルにある使用時に光ディスクの回転を妨げる心配がなく、しかも、検出レバーが光ディスクに直接当たるか否かで簡単かつ確実に光ディスクの有無を検出することができる。
【００１２】
そして、表示体を検出レバーの先端に設け、検出レバーが第二の角度位置まで回動したときに、上記表示体の光ディスクが存在する旨の表示部分が筐体の表示用開口部に背後から臨み、検出レバーが第三の角度位置まで回動したときに、上記表示体の光ディスクが存在しない旨の表示部分が筐体の表示用開口部に背後から臨むようにしたものは、表示用開口部を通じて光ディスクの有無を一目で確認でき、更に、Ｐ−ＯＮ信号がＨＩレベルになって検出レバーが第一の角度位置まで上方に回動して停止したときに、上記表示体の無表示部分が筐体の表示用開口部に背後から臨むようにしたものは、装置を使用している間、表示用開口部が表示体の無表示部分で閉鎖されるので体裁が良く、特に、無表示部分が筐体と同色又は調和した色に着色されている場合は、美観が向上する。
【発明を実施するための最良の形態】
【００１３】
以下、図面を参照して本発明の具体的な実施形態を詳述する。
【００１４】
図１は本発明の一実施形態に係る光ディスク装置をその筐体を省略して示した斜視図、図２は同光ディスク装置の正面図、図３はＰ−ＯＮ信号がＨＩレベルにある同光ディスク装置をその内部機構を省略して示した概略断面図、図４はＰ−ＯＮ信号がＬＯＷレベルにあって光ディスクが存在するときの同光ディスク装置をその内部機構を省略して示した概略断面図、図５はＰ−ＯＮ信号がＬＯＷレベルにあって光ディスクが存在しないときの同光ディスク装置をその内部機構を省略して示した概略断面図である。
【００１５】
この光ディスク装置は、図２に示すような筐体１の内部に、図１に示すような光ディスク装置本体２が内装されたものであり、筐体１の前面には図２に示すように、光ディスク装置本体のディスクトレイ    の出入口１ａと、後述するように光ディスの有無を表示する表示用開口部１ｂが形成されている。
【００１６】
光ディスク装置本体２は、図１に示すように、メインシャーシ３、トラバースシャーシ４、クランパー５、ターンテーブル６、光ピックアップ７、カムスライダー８、トレイ９などの主要部品で構成されている。
【００１７】
即ち、この光ディスク装置本体２のメインシャーシ３には左右方向のブリッジ部３ａが形成されており、このブリッジ部３ａの中央のホルダー部にはクランパー５が回転自在に保持されている。そして、メインシャーシ３の内側には、トラバースシャーシ４がその後端部で上下揺動可能に取付けられており、このトラバースシャーシ４には、ターンテーブル６と光ピックアップ７が搭載されている。このターンテーブル６は、トラバースシャーシ４が上昇したときにクランパー５との間に光ディスクＤを挟んでチャッキングし、スピンドルモータで回転するようになっている。
【００１８】
また、光ピックアップ７は、左右のガイド軸１０ａ，１０ｂ（主軸と副軸）に沿って、ターンテーブル６に対して接近・離反可能に、つまり前後方向に往復移動可能に搭載されている。そして、駆動モータ（不図示）から駆動力が駆動力伝達歯車機構を介して光ピックアップ７のラックに伝達され、光ピックアップ７がターンテーブル６に接近する方向（光ディスクの求心方向）に移動しながら、対物レンズ７ａからレーザービームを光ディスクＤに照射して記録・再生が行われるようになっている。
【００１９】
メインシャーシ３の前端部内側には、トラバースシャーシ４を上下に揺動させるカムスライダー８が左右移動可能に取付けられており、トラバースシャーシ４の前端の摺動ボスがカムスライダー８のカム溝に挿入されて係合している。そして、トラバースシャーシ４とクランパー６との間には、光ディスクＤを載置するトレイ９が配置されてメインシャーシ３の内側に挿入・排出可能に取付けられており、このトレイ９には、トラバースシャーシ４を上昇させたときにターンテーブル６や光ピックアップ７が下方から突入する略長方形の開口部９ａが形成されている。
【００２０】
このような光ディスク装置本体２は、トラバースシャーシが４が下降してディスクトレイ９が排出された状態で光ディスクＤをディスクトレイ９に載置して装置本体２内部にディスクトレイ９を挿入すると、カムスライダー８が移動してトラバースシャーシ４が上向きに回動（上昇）し、ターンテーブル６とクランパー５との間に光ディスクＤが挟まれて回転する。すると、光ピックアップ７がガイド軸１０ａ，１０ｂに沿ってターンテーブル６の方へ移動しながら、レーザービームを光ディスクＤに照射し、その反射ビームが光ピックアップ７の光検出器で検出されて、記録・再生が行われる。そして、記録・再生が終わると、上記と逆動作して光ディスクＤがディスクトレイ９に載置されて排出されるようになっている。
【００２１】
この光ディスク装置の大きい特徴は、Ｐ−ＯＮ信号がＬＯＷレベルにある待機時又は電源−ＯＦＦの時に、電力を消費しないで、光ディスクＤがディスクトレイ９に残っているか否かを簡易に検出する検出レバー１１を設けた点にある。
【００２２】
即ち、図１，図３〜図５に示すように、この検出レバー１１は、その回転軸部１１ａがメインシャーシ３のブリッジ部３ａに形成された軸受部１１ｂ，１１ｂに回転自在に軸受けされており、この回転軸部１１ａから後方へ延びるレバー後端部１１ｃの先端には磁性板１１ｄが設けられている。そして、この磁性板１１ｄの下方に位置して電磁石１１ｅがブリッジ部３ａに設けられており，Ｐ−ＯＮ信号がＨＩレベルにある使用時には、図３に示すように、電磁石１１ｅによって磁性板１１ｄが磁着されて、検出レバー１１の途中から下方に延びる検出片１１ｆが光ディスクＤに当たらない第一の角度位置（図３に示す略水平な角度位置）まで検出レバー１１が上向きに回動して停止するようになっている。
【００２３】
上記検出レバー１１の先端には、光ディスクＤの有無を表示する表示体１２が設けられており、この表示体１２は、図１に示すように、その上部が光ディスクＤが存在しない旨を表示する「ＮＯ  ＤＩＳＫ」を記載した表示部分１２ａ、中間部分が光ディスクＤが存在する旨を表示する「ＤＩＳＫ  ＩＮ」を記載した表示部分１２ｂ、下部が筐体１と同色又は調和した色に着色された無表示部分１２ｃとなっている。そして、これらの表示部分１２ａ，１２ｂと無表示部分１２ｃは、それぞれの境界部分で鈍角に屈曲しており、後述するように検出レバー１１が自重で回動したときに、これらの表示部分や無表示部分が筐体１の表示用開口部１ｂに背後から平行に臨むようになっている。
【００２４】
図３に示すように、Ｐ−ＯＮ信号がＨＩレベルで検出レバー１１が第一の角度位置にあるときは、検出レバー１１先端の表示体１２の無表示部分１２ｃが筐体１表面の表示用開口部１ｂに背後から望み、表示用開口部１ｂが、筐体１と同色又は調和のある色に着色された無表示部分１２ｃによって閉塞されているので、正面から見た場合、体裁が良好である。
【００２５】
そして、使用後、光ディスク装置の電源スイッチを切ってＰ−ＯＮ信号がＬＯＷレベルになると、電磁石１１ｅによる磁性体１１ｄの磁着が解除され、図４に示すように、光ディスクＤがディスクトレイ９に残っている場合には、検出レバー１１の検出片１１ｆの下端膨出部が光ディスクＤに当たる第二の角度位置まで自重で下方に回動して停止し、光ディスクＤが存在していることを検出する。このとき、検出レバー１１先端の表示体１２は、光ディスクＤが存在する旨を表示する「ＤＩＳＫ  ＩＮ」と記載された表示部分１２ｂが筐体１の表示用開口部１ｂに背後から臨むことになるため、筐体１の表示用開口部１ｂを通じて上記表示部分１２ｂを見れば、光ディスクＤがディスクトレイ９に残っていることを確認することができる。
【００２６】
そして、光ディスクＤがディスクトレイ９に残っていない場合は、図５に示すように、検出レバー１１が光ディスクＤの存在しない第三の角度位置まで自重で下方に回動して、光ディスクＤが存在しない旨を表示する「ＮＯ  ＤＩＳＫ」と記載された表示部分１２ｃが筐体１の表示用開口部１ｂに背後から臨むことになるため、筐体１の表示用開口部１ｂを通じて上記表示部分１２ｃを見れば、光ディスクＤがディスクトレイ９に残っていないことを確認することができる。
【００２７】
なお、検出レバー１１の検出片１１ｆの下端膨出部の下面は球面に形成されているので、上記のように検出片１１ｆの下端膨出部が光ディスクＤに当たっても、光ディスクＤを傷つける心配はない。
【００２８】
上記のように、本発明の光ディスク装置は、Ｐ−ＯＮ信号がＬＯＷレベルのとき検出レバー１１が自重で回転して光ディスクＤの有無を検出することができ、筐体１の表示用開口部１ｂの背後に臨む表示体１２を、表示用開口部１ｂを通じて見ることにより、Ｐ−ＯＮ信号がＬＯＷレベルのときの光ディスクＤの有無を確認することができる。従って、従来の光ディスク装置のように、わざわざ電源スイッチを入れて光ディスクの有無を確認することが不要となり、しかも、待機電力を一切消費しないので経済的である。
【図面の簡単な説明】
【００２９】
【図１】本発明の一実施形態に係る光ディスク装置をその筐体を省略して示した斜視図である。
【図２】同光ディスク装置の正面図である。
【図３】Ｐ−ＯＮ信号がＨＩレベルにある同光ディスク装置をその内部機構を省略して示した概略断面図である。
【図４】Ｐ−ＯＮ信号がＬＯＷレベルにあって光ディスクが存在するときの同光ディスク装置をその内部機構を省略して示した概略断面図である。
【図５】Ｐ−ＯＮ信号がＬＯＷレベルにあって光ディスクが存在しないときの同光ディスク装置をその内部機構を省略して示した概略断面図である。
【符号の説明】
【００３０】
１    筐体
１ｂ  表示用開口部
２    光ディスク装置本体
９    ディスクトレー
１１  検出レバー
１１ｅ  電磁石
１２  表示体
１２ａ  光ディスクが存在しない旨の表示部分
１２ｂ  光ディスクが存在する旨の表示部分
１２ｃ  無表示部分
【図１】
2010152946.tif 000003
【図２】
2010152946.tif 000004
【図３】
2010152946.tif 000005
【図４】
2010152946.tif 000006
【図５】
2010152946.tif 000007